(57)【要約】【課題】被曝量を低減させ、且つ、簡便な方法でスキャン撮影範囲の視覚的な確認が可能なＸ線ＣＴ装置及び寝台装置を提供する。【解決手段】実施形態のＸ線ＣＴ装置は、架台装置と、寝台装置と、視覚的報知手段と、制御手段とを含む。架台装置は、被検体をＸ線でスキャンするためのスキャン手段を有する。寝台装置は、天板を有する。視覚的報知手段は、天板の周縁の少なくとも一部に沿って配置され、天板における位置又は範囲を視覚的に報知するために用いられる。制御手段は、スキャン条件により指定された複数の位置又は複数の範囲を視覚的報知手段に報知させる。【選択図】図１
2016034427.tif 000002
【特許請求の範囲】
【請求項１】
被検体をＸ線でスキャンするためのスキャン手段を有する架台装置と、
天板を有する寝台装置と、
前記天板の周縁の少なくとも一部に沿って配置され、前記天板における位置又は範囲を視覚的に報知するための視覚的報知手段と、
スキャン条件により指定された前記天板における複数の位置又は複数の範囲を前記視覚的報知手段に報知させる制御手段と、
を含むことを特徴とするＸ線ＣＴ装置。
【請求項２】
前記制御手段は、前記複数の位置又は前記複数の範囲を前記視覚的報知手段に同時に報知させ、前記複数の位置又は前記複数の範囲を前記視覚的報知手段に順次に報知させ、又は前記複数の位置又は前記複数の範囲をユーザ指定に基づいて前記視覚的報知手段に選択的に報知させる
ことを特徴とする請求項１に記載のＸ線ＣＴ装置。
【請求項３】
前記視覚的報知手段は、発光手段、光源からの光を反射する反射手段、又は発光手段からの光を導光する導光手段の光出射端を含む
ことを特徴とする請求項１又は請求項２に記載のＸ線ＣＴ装置。
【請求項４】
前記天板の周縁に向けて光を出射するための光源を含み、
前記視覚的報知手段は、前記光源からの光を反射する反射手段を含む
ことを特徴とする請求項１又は請求項２に記載のＸ線ＣＴ装置。
【請求項５】
前記架台装置は、可視光を出射するための投光器を含み、
前記視覚的報知手段は、前記投光器からの可視光を反射する反射手段を含む
ことを特徴とする請求項１又は請求項２に記載のＸ線ＣＴ装置。
【請求項６】
前記視覚的報知手段は、前記天板の長手方向の周縁に沿って配置されている
ことを特徴とする請求項１〜請求項５のいずれか一項に記載のＸ線ＣＴ装置。
【請求項７】
前記制御手段は、複数の撮影範囲、各撮影範囲の中心である撮影中位置心、各撮影範囲の端部である撮影端部、及び被曝限界のいずれか２つの位置又は範囲を、異なる態様で前記視覚的報知手段に報知させる
ことを特徴とする請求項１〜請求項６のいずれか一項に記載のＸ線ＣＴ装置。
【請求項８】
前記制御手段は、色、報知時間、又は強度を異ならせて前記視覚的報知手段に報知させる
ことを特徴とする請求項７に記載のＸ線ＣＴ装置。
【請求項９】
前記天板と前記架台装置とは相対的に移動可能に構成され、
前記天板と前記架台装置とを相対的に移動させつつ前記被検体を撮影するスキャンモードが指定されたとき、前記制御手段は、相対移動の方向又は撮影のための移動方向を前記視覚的報知手段に報知させる
ことを特徴とする請求項８に記載のＸ線ＣＴ装置。
【請求項１０】
前記天板と前記架台装置とを相対的に静止させた状態で前記被検体を撮影するスキャンモードが指定されたとき、前記制御手段は、撮影範囲を前記視覚的報知手段に報知させる
ことを特徴とする請求項８又は請求項９に記載のＸ線ＣＴ装置。
【請求項１１】
前記制御手段は、前記スキャン条件により指定された複数の範囲のそれぞれを範囲毎に異なる態様で前記視覚的報知手段に報知させる
ことを特徴とする請求項７〜請求項９のいずれか一項に記載のＸ線ＣＴ装置。
【請求項１２】
前記制御手段は、前記天板において前記被検体が載置される範囲内において撮影範囲と非撮影範囲とを識別可能に前記視覚的報知手段に報知させる
ことを特徴とする請求項７〜請求項１０のいずれか一項に記載のＸ線ＣＴ装置。
【請求項１３】
被検体が載置される天板と、
前記天板の周縁の少なくとも一部に沿って配置され、スキャン条件により指定された前記天板における位置又は範囲を視覚的に報知するための視覚的報知手段と、
を含むことを特徴とする寝台装置。
【請求項１４】
前記天板を支持すると共に、前記天板の短手方向に配列された複数の発光手段を有する天板支持手段を含み、
前記天板は、
前記複数の発光手段から出力された光を前記天板の周縁に導く導光手段を含み、
前記視覚的報知手段は、前記導光手段の光出射端である
ことを特徴とする請求項１３に記載の寝台装置。
【請求項１５】
前記導光手段は、前記複数の発光手段に対応する複数の光ファイバを含み、
前記複数の光ファイバそれぞれの端面が、前記光出射端である
ことを特徴とする請求項１４に記載の寝台装置。
【請求項１６】
前記複数の光ファイバは、規則的に配列されている
ことを特徴とする請求項１５に記載の寝台装置。
【請求項１７】
前記複数の光ファイバそれぞれに、前記複数の発光手段のうち色が異なる２以上の発光手段が対応付けられている
ことを特徴とする請求項１４〜請求項１６のいずれか一項に記載の寝台装置。
【請求項１８】
前記天板を第１方向に移動させるための移動機構を含み、
前記複数の発光手段から出力された光を受け入れるための前記導光手段の光入射端の前記第１方向の長さに応じた間隔で、前記複数の発光手段が配列されている
ことを特徴とする請求項１４〜請求項１７のいずれか一項に記載の寝台装置。
【請求項１９】
前記複数の発光手段は、前記天板の短手方向に配列され、且つ、所定の配列ピッチで前記天板の長手方向に配列され、
前記第１方向の長さは、前記所定の配列ピッチ以上である
ことを特徴とする請求項１８に記載の寝台装置。
【請求項２０】
前記視覚的報知手段は、発光手段、光源からの光を反射する反射手段、又は発光手段からの光を導光する導光手段の光出射端を含む
ことを特徴とする請求項１３〜請求項１９のいずれか一項に記載の寝台装置。
【発明の詳細な説明】
【技術分野】
【０００１】
本発明の実施形態は、Ｘ線ＣＴ（Ｃｏｍｐｕｔｅｄ  Ｔｏｍｏｇｒａｐｈｙ）装置及び寝台装置に関する。
【背景技術】
【０００２】
Ｘ線ＣＴ装置は、Ｘ線を利用して被検体をスキャンし、収集されたデータをコンピュータにより処理することで、被検体の内部を画像化する装置である。
【０００３】
具体的には、Ｘ線ＣＴ装置は、被検体に対してＸ線を異なる方向から複数回曝射し、被検体を透過したＸ線をＸ線検出器にて検出して複数の検出データを収集する。収集された複数の検出データはデータ収集部によりＡ／Ｄ変換された後、コンソール装置に送信される。コンソール装置は、当該複数の検出データに対し前処理等を施すことにより投影データを作成する。そして、コンソール装置は、投影データに対し再構成処理を施すことにより、断層画像データ、或いは複数の断層画像データに基づくボリュームデータを作成する。ボリュームデータは、被検体の３次元領域に対応するＣＴ値の３次元分布を表すデータセットである。
【０００４】
Ｘ線ＣＴ装置は、上記のボリュームデータを任意の方向にレンダリングすることによりＭＰＲ（Ｍｕｌｔｉ  Ｐｌａｎａｒ  Ｒｅｃｏｎｓｔｒｕｃｔｉｏｎ）表示を行うことができる。以下、ボリュームデータをレンダリングすることによりＭＰＲ表示された断面画像を「ＭＰＲ画像」という場合がある。ＭＰＲ画像には、たとえば、体軸に対する直交断面を示すアキシャル像、体軸に沿って被検体を縦切りした断面を示すサジタル像、及び体軸に沿って被検体を横切りした断面を示すコロナル像がある。更には、ボリュームデータにおける任意断面の画像（オブリーク像）もＭＰＲ画像に含まれる。作成された複数のＭＰＲ画像は、表示部等に同時に表示することができる。
【０００５】
このようなＸ線を利用したスキャンに先立ち、Ｘ線ＣＴ装置では、スキャン撮影範囲を確認する目的で、当該被検体のスキャノ像（スキャノグラム）の撮影が行われる。通常、スキャノ像の撮影は、スキャン撮影範囲より広く設定されたスキャノ像の撮影範囲内において一律の撮影条件下で行われる。従って、Ｘ線照射を行うことが好ましくない身体部位や、撮影目的との関係からはスキャノ像の撮影が必ずしも必要とされない身体部位に対しても、一律の撮影条件下でＸ線照射が行われ、スキャノ像の撮影は、被検体に対する被曝量の増加を招く。そこで、被曝量を低減させつつ、Ｘ線を利用した被検体のスキャンを可能にする技術が種々提案されている。
【先行技術文献】
【特許文献】
【０００６】
【特許文献１】特開平７−１００１２９号公報
【発明の概要】
【発明が解決しようとする課題】
【０００７】
しかしながら、従来の技術は、事前にＸ線を照射することにより撮影された情報を予備情報として、この予備情報に基づいて間接的にスキャン撮影範囲を確認するという煩雑な方法により行われるものである。そのため、被検体の被曝量をより低減させ、且つ、より簡便な方法でスキャン撮影範囲の確認が可能な技術が求められている。
【０００８】
本発明は、上記の問題点を解決するためになされたものであり、被曝量を低減させ、且つ、簡便な方法でスキャン撮影範囲の視覚的な確認が可能なＸ線ＣＴ装置及び寝台装置を提供することを目的とする。
【課題を解決するための手段】
【０００９】
実施形態のＸ線ＣＴ装置は、架台装置と、寝台装置と、視覚的報知手段と、制御手段とを含む。架台装置は、被検体をＸ線でスキャンするために用いられる。寝台装置は、天板を有する。視覚的報知手段は、天板の周縁の少なくとも一部に沿って配置され、天板における位置又は範囲を視覚的に報知するために用いられる。制御手段は、スキャン条件により指定された複数の位置又は複数の範囲を視覚的報知手段に報知させる。
実施形態の寝台装置は、天板と、視覚的報知手段とを含む。天板は、被検体が載置される。視覚的報知手段は、天板の周縁の少なくとも一部に沿って配置され、スキャン条件により指定された天板における位置又は範囲を視覚的に報知するために用いられる。
【図面の簡単な説明】
【００１０】
【図１】第１実施形態に係るＸ線ＣＴ装置の概略構成のブロック図。
【図２】第１実施形態に係る寝台装置の構成例を模式的に示す図。
【図３】第１実施形態に係る寝台装置の構成例を模式的に示す図。
【図４】第１実施形態に係る寝台装置の構成例を模式的に示す図。
【図５】第１実施形態に係る寝台装置の構成例を模式的に示す図。
【図６】第１実施形態に係る寝台装置の構成例を模式的に示す図。
【図７】第１実施形態に係るＸ線ＣＴ装置の動作例のフロー図。
【図８】第２動作例における表示部に表示された画像の一例を示す図。
【図９】第２動作例における視覚的報知部の動作説明図。
【図１０】第３動作例における表示部に表示された画像の一例を示す図。
【図１１】第３動作例における視覚的報知部の動作説明図。
【図１２】第４動作例における表示部に表示された画像の一例を示す図。
【図１３】第４動作例における視覚的報知部の動作説明図。
【図１４】第２実施形態に係るＸ線ＣＴ装置の概略構成のブロック図。
【図１５】第３実施形態に係るＸ線ＣＴ装置の概略構成のブロック図。
【図１６】第４実施形態に係るＸ線ＣＴ装置の概略構成のブロック図。
【発明を実施するための形態】
【００１１】
以下、図面を参照しながら実施形態を説明する。
【００１２】
実施形態に係る寝台装置は、たとえば、Ｘ線ＣＴ装置、ＭＲＩ（Ｍａｇｎｅｔｉｃ  Ｒｅｓｏｎａｎｃｅ  Ｉｍａｇｉｎｇ）装置、超音波診断装置、デジタルアンギオ装置、又はＸ線診断装置等の医用画像診断装置に適用することが可能である。以下では、実施形態に係る寝台装置が適用される医用画像診断装置が、Ｘ線ＣＴ装置である場合について説明する。なお、「画像」と「画像データ」は一対一に対応するので、以下の実施形態においては、これらを同一視する場合がある。
【００１３】
［第１実施形態］
＜装置構成＞
図１に、第１実施形態に係るＸ線ＣＴ装置の概略構成のブロック図を示す。
Ｘ線ＣＴ装置１は、架台装置１０と、寝台装置３０と、コンソール装置４０とを含んで構成されている。
【００１４】
［架台装置］
架台装置１０は、被検体ＥをＸ線でスキャンするためのスキャン手段を有する装置である。具体的には、架台装置１０は、被検体Ｅに対してＸ線を曝射し、被検体Ｅを透過した当該Ｘ線の検出データを収集する装置である。また、架台装置１０は、Ｘ線ＣＴ装置１に対する操作入力に用いられる。架台装置１０は、Ｘ線発生部１１と、Ｘ線検出部１２と、回転体１３と、高電圧発生部１４と、架台駆動部１５と、Ｘ線絞り部１６と、絞り駆動部１７と、データ収集部１８とを含んで構成されている。更に、架台装置１０は、スキャン制御部４１と、表示制御部４３と、表示部４４と、記憶部４５と、操作部４６と、制御部４７とを含んで構成されている。
【００１５】
Ｘ線発生部１１は、Ｘ線を発生させるＸ線管球（たとえば、円錐状や角錐状のＸ線ビームを発生する真空管。図示なし）を含んで構成されている。Ｘ線発生部１１は、発生させたＸ線を被検体Ｅに対して曝射する。
【００１６】
Ｘ線検出部１２は、複数のＸ線検出素子（図示なし）を含んで構成されている。Ｘ線検出部１２は、被検体Ｅを透過したＸ線を検出する。具体的には、Ｘ線検出部１２は、被検体Ｅを透過したＸ線の強度分布を示すＸ線強度分布データをＸ線検出素子で検出し、その検出データを電気信号として生成し、生成された電気信号を増幅した後、デジタル信号に変換して出力する。Ｘ線検出部１２には、たとえば、検出素子が互いに直交する２方向（スライス方向とチャンネル方向）にそれぞれ複数配置された２次元のＸ線検出器（面検出器）が用いられる。複数のＸ線検出素子は、たとえば、スライス方向に沿って３２０列設けられている。このように複数のＸ線検出素子が多列に設けられたＸ線検出器を用いることにより、１回転のスキャンでスライス方向に幅を有する３次元の撮影領域を撮影することができる。なお、スライス方向は被検体Ｅの体軸方向に相当し、チャンネル方向はＸ線発生部１１の回転方向に相当する。以下、図１に示すように、体軸方向をＺ方向とし、体軸方向と直交する上下方向をＹ方向とし、Ｙ方向及びＺ方向の双方に直交する方向をＸ方向とする。
【００１７】
回転体１３は、Ｘ線発生部１１とＸ線検出部１２とを被検体Ｅを挟んで対向するよう支持する部材である。回転体１３には、スライス方向に貫通した開口部１３ａが形成されている。架台装置１０内において、回転体１３は、被検体Ｅを中心とした円軌道で回転するよう配置されている。すなわち、Ｘ線発生部１１及びＸ線検出部１２は、被検体Ｅを中心とする円軌道に沿って回転可能に設けられている。
【００１８】
高電圧発生部１４は、Ｘ線発生部１１に対して高電圧を印加する（以下、「電圧」とは、Ｘ線管球におけるアノード−カソード間の電圧を意味する）。Ｘ線発生部１１は、当該高電圧に基づいてＸ線を発生させる。
【００１９】
架台駆動部１５は、回転体１３を回転駆動させる。Ｘ線絞り部１６は、所定幅のスリット（開口）を有し、スリットの幅を変えることで、Ｘ線発生部１１から曝射されたＸ線のファン角（チャンネル方向の広がり角）とＸ線のコーン角（スライス方向の広がり角）とを調整する。絞り駆動部１７は、Ｘ線発生部１１で発生したＸ線が所定の形状となるようＸ線絞り部１６を駆動させる。
【００２０】
データ収集部１８（ＤＡＳ：Ｄａｔａ  Ａｃｑｕｉｓｉｔｉｏｎ  Ｓｙｓｔｅｍ）は、Ｘ線検出部１２（各Ｘ線検出素子）からの検出データを収集する。そして、データ収集部１８は、デジタル信号である検出データをコンソール装置４０に送信する。
【００２１】
スキャン制御部４１は、Ｘ線スキャンに関する各種動作を制御する。たとえば、スキャン制御部４１は、Ｘ線発生部１１に対して高電圧を印加させるよう高電圧発生部１４を制御する。スキャン制御部４１は、回転体１３を回転駆動させるよう架台駆動部１５を制御する。スキャン制御部４１は、Ｘ線絞り部１６を動作させるよう絞り駆動部１７を制御する。スキャン制御部４１は、寝台３１を移動させるよう寝台駆動部３２を制御する。
【００２２】
表示制御部４３は、画像表示に関する各種制御を行う。表示制御部４３は、たとえば、レンダリング処理部４２ｃにより作成されたＭＰＲ画像（たとえば、アキシャル画像）等を表示部４４に表示させる制御を行う。
【００２３】
表示部４４は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）ディスプレイ等の任意の表示デバイスによって構成される。たとえば、表示部４４には、ボリュームデータをレンダリング処理して得られるＭＰＲ画像が表示される。
【００２４】
記憶部４５は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等の半導体記憶装置によって構成される。記憶部４５は、検出データや投影データ、或いは再構成処理後のＣＴ画像データ等を記憶する。
【００２５】
操作部４６は、架台装置１０に対する各種操作を行う入力デバイスとして用いられる。この実施形態では、操作部４６は、架台装置１０によりＸ線でスキャンするためのスキャン条件をユーザが入力するために用いられる。操作部４６は、たとえばタッチパネル等により構成される。また、操作部４６として、表示部４４に表示されたＧＵＩ（Ｇｒａｐｈｉｃａｌ  Ｕｓｅｒ  Ｉｎｔｅｒｆａｃｅ）を用いることも可能である。
【００２６】
［寝台装置］
寝台装置３０は、撮影対象の被検体Ｅを載置・移動させる装置である。寝台装置３０は、寝台３１と、寝台駆動部３２とを含んで構成されている。寝台３１は、天板３３と、天板支持部３４と、視覚的報知部３５とを含んで構成されている。
【００２７】
天板３３は、被検体Ｅを載置するために用いられる部材である。天板支持部３４は、天板３３を支持する。天板３３は、寝台駆動部３２によって被検体Ｅの体軸方向（図１のＺ方向、第１方向）及び体軸方向に直交する方向（図１のＸ方向）に移動することが可能となっている。すなわち、寝台駆動部３２は、被検体Ｅが載置された天板３３を、回転体１３の開口部１３ａに対して挿抜させることができる。また、天板支持部３４は、寝台駆動部３２によって天板３３を上下方向（図１のＹ方向）に移動させることが可能となっている。
【００２８】
視覚的報知部３５は、天板３３の周縁の少なくとも一部に沿って配置され、スキャン条件により指定された１以上の位置又は１以上の範囲であって、天板３３における１以上の位置又は１以上の撮影範囲を視覚的に報知する。この実施形態では、視覚的報知部３５は、スキャン条件により指定された天板３３における複数の位置又は複数の範囲を視覚的に報知することが可能である。天板３３の周縁は、天板３３の側面又はその近傍位置であり、コンソール装置４０を操作してスキャン条件の入力等を行う医師や技師等のユーザから視認可能な位置である。「スキャン条件により指定された天板における１以上の位置」は、スキャン条件を構成する１以上のパラメータにより規定され、たとえば、各撮影範囲の撮影開始位置や撮影終了位置や撮影中心位置、被曝範囲の被曝限界位置（被曝端部）である。撮影開始位置や撮影終了位置は、「撮影端部」の一例である。また、「スキャン条件により指定された天板における１以上の範囲（複数の範囲）」は、スキャン条件を構成する１以上のパラメータにより規定され、たとえば、１以上のスキャン撮影範囲（複数のスキャン撮影範囲）や、被曝範囲である。なお、スキャン条件を構成するパラメータは、上記の他にスキャンモード等を含んでもよい。
【００２９】
視覚的報知部３５は、発光手段からの光を導光する導光手段の光出射端を含み、光出射端が天板３３の長手方向（被検体Ｅの体軸方向）の周縁である天板３３の側面に配置されている。この実施形態では、視覚的報知部３５は、複数の発光手段からの光を導光する複数の導光手段の光出射端を含み、複数の光出射端が天板３３の長手方向（被検体Ｅの体軸方向）の周縁である天板３３の側面に沿って配列されているものとする。また、発光手段として、ＬＥＤ（Ｌｉｇｈｔ  Ｅｍｉｔｔｉｎｇ  Ｄｉｏｄｅ）が採用される。
【００３０】
図２〜図６に、第１実施形態に係る寝台装置３０の構成例を模式的に示す。図２は、寝台装置３０を構成する天板３３を上方から見た構成を模式的に表す。図３は、図２のＡ−Ａ線に沿った天板３３の断面構造を模式的に表す。図４は、図２の導光体とＬＥＤとの関係を示す断面構造の一例を表す。図５は、図４の断面構造の詳細を表す。図６は、寝台装置３０を構成する上部フレームを上方から見た構成を模式的に表す。なお、図２〜図６において、図１と同様の部分には同一符号を付し、適宜説明を省略する。
【００３１】
天板支持部３４は、天板３３を支持する上部フレーム３４１と、上部フレーム３４１を支持する基台（図示せず）とを含んで構成されている。図４及び図６に示すように、上部フレーム３４１には、複数のＬＥＤ３４３が配置されている。図４〜図６に示すように、複数のＬＥＤ３４３は、天板３３と対向する上部フレーム３４１の上面に、天板３３の長手方向と直交する短手方向（図１のＸ方向）に配列され、且つ、所定の配列ピッチＰ２で天板３３の長手方向（図１のＺ方向）に配列されている。
【００３２】
天板３３は、複数のＬＥＤ３４３から出力された光が入射する導光体３３１と、複数のＬＥＤ３４３に対応して設けられ導光体３３１に入射された光を天板３３の側面に導く複数の光ファイバ３３２とを含んで構成されている。複数の光ファイバ３３２それぞれの端面が、天板３３の側面に配置された光出射端となり、視覚的報知部３５は、光ファイバ３３２の光出射端である。
【００３３】
導光体３３１は、「導光手段の光入射端」の一例であり、導光体３３１及び複数の光ファイバ３３２は、「導光手段」の一例である。
【００３４】
図５に示すように、導光体３３１は、天板３３の短手方向に配列された複数の導光部材３３３と、互いに隣接する導光部材の間に設けられた複数のセパレータ３３４とを含んで構成されている。導光体３３１には、複数のＬＥＤ３４３と対向する面の少なくとも一部に開口部が形成されており、対応するＬＥＤから出力された光が入射する。この実施形態では、上部フレーム３４１が固定された状態で、天板３３がＺ方向にスライド可能に構成される。上部フレーム３４１には、導光部材３３３の天板３３の長手方向の長さＰ１に応じた間隔で、複数のＬＥＤ３４３が配列され、天板３３の長手方向の各列に配列されたＬＥＤ３４３には同一の信号が供給される。天板３３の長手方向の導光体３３１（導光手段の光入射端）の長さＰ１は、図６の配列ピッチＰ２以上の長さである。これにより、固定されている上部フレーム３４１の上を天板３３の長手方向に移動しても、導光体３３１がＬＥＤ３４３からの光を取り込むことができる。また、上部フレーム３４１の上面の全面に複数のＬＥＤ３４３を配置する必要がない。以上のように、上部フレーム３１４に配置されたＬＥＤ３４３から、非接触で天板３３に光を送ることができる。
【００３５】
導光部材３３３の内部には、所定の屈折率を有し光を伝搬する媒質（エアー又はプラスチック部材等）が設けられ、導光部材３３３の内壁面が反射面として機能することにより、導光部材３３３は、対応するＬＥＤからの光を、対応する光ファイバに導く。たとえば、導光部材３３３の光出射端と、対応する光ファイバ３３２の入射端との間には、所定の集光機能を有する光学部材が設けられてもよい。
【００３６】
セパレータ３３４は、一方の導光部材に入射された光が他方の導光部材に漏れないようにする光遮蔽部材として機能する。
【００３７】
また、図５に示すように、たとえば、互いに異なる色の発光する３つのＬＥＤのいずれかからの光を１つの導光部材３３３が受け入れる。制御部４７は、３つのＬＥＤのいずれかを発光させる。これにより、天板３３の側面から、３色の光を出射することが可能になる。なお、天板３３の側面から１色の光を出射する場合、１つのＬＥＤからの光を１つの導光部材３３３が受け入れるように構成される。
【００３８】
複数の光ファイバ３３２は、天板３３の内部に規則的に配列される。その具体例として、複数の光ファイバ３３２は、図３に示すように、上下の２層構造で配列される。上下に配置される２本の光ファイバ３３２は、同一の導光部材３３３に入射された光を導光する。上層の光ファイバ３３２は、天板３３の側面の一方（たとえば、図２の右側の側面）に光を導光するように配置される。下層の光ファイバ３３２は、天板３３の側面の他方（たとえば、図２の左側の側面）に光を導光するように配置される。すなわち、１つのＬＥＤ３４３により発光された光は、対応する導光部材３３３と２本の光ファイバ３３２とによって、天板３３の左右の両側面に対向して配置される光出射端から出射される。
【００３９】
このように、光ファイバ３３２を規則的に配列させることにより、スキャンにより得られた画像に描出された血管の識別が容易になる。
【００４０】
更に、光ファイバ３３２の光出射端は、天板３３の側面において所定の間隔で体軸方向に配列される。その具体例として、光ファイバ３３２の光出射端は、天板３３の側面において、Ｘ線検出素子の配列間隔以下に配列され、たとえば、０．５ｍｍ以上の配列間隔で配列される。
【００４１】
［コンソール装置］
図１に示すように、コンソール装置４０は、架台装置１０によって収集された検出データから被検体Ｅの内部形態を表すＣＴ画像データ（断層画像データやボリュームデータ）を再構成する機能等を有している。
【００４２】
コンソール装置４０は、処理部４２と、操作部４８とを含んで構成されている。
【００４３】
処理部４２は、架台装置１０（データ収集部１８）から送信された検出データに対して各種処理を実行する。処理部４２は、前処理部４２ａと、再構成処理部４２ｂと、レンダリング処理部４２ｃとを含んで構成されている。
【００４４】
前処理部４２ａは、架台装置１０（Ｘ線検出部１２）で検出された検出データに対して対数変換処理、オフセット補正、感度補正、ビームハードニング補正等の前処理を行い、投影データ（生データ）を作成する。
【００４５】
再構成処理部４２ｂは、前処理部４２ａで作成された投影データに対し再構成処理を施すことにより、ＣＴ画像データ（断層画像データやボリュームデータ）を作成する。断層画像データの再構成には、たとえば、２次元フーリエ変換法、コンボリューション・バックプロジェクション法等、任意の方法を採用することができる。ボリュームデータは、再構成された複数の断層画像データを補間処理することにより作成される。ボリュームデータの再構成には、たとえば、コーンビーム再構成法、マルチスライス再構成法、拡大再構成法等、任意の方法を採用することができる。上記のように複数のＸ線検出素子が多列に設けられたＸ線検出器を用いたボリュームスキャンにより、広範囲のボリュームデータを再構成することができる。
【００４６】
レンダリング処理部４２ｃは、再構成処理部４２ｂで作成されたボリュームデータに対しレンダリング処理を施す。たとえば、レンダリング処理部４２ｃは、再構成処理部４２ｂで作成されたボリュームデータを任意の方向にレンダリングすることによりＭＰＲ表示する（すなわち、レンダリング処理部４２ｃは、ＭＰＲ画像を作成する）。
【００４７】
操作部４８は、操作部４６とは別に、コンソール装置４０側に設けられた入力デバイスとして用いられる。操作部４８は、Ｘ線ＣＴ装置１全体に対する各種操作を行う入力デバイスとして用いられる。操作部４８は、たとえばキーボード、マウス、トラックボール、ジョイスティック等により構成される。操作部４６を用いて入力可能な情報（スキャン条件など）については、操作部４８を用いて入力できるようにしてもよい。
【００４８】
［制御部］
この実施形態において、制御部４７は、上記の構成を有する架台装置１０、寝台装置３０、及びコンソール装置４０の動作を制御することによって、Ｘ線ＣＴ装置１の全体制御を行う。たとえば、制御部４７は、スキャン制御部４１を制御することで、架台装置１０に対して、たとえば予備スキャン及びメインスキャンを実行させ、検出データを収集させる。また、制御部４７は、処理部４２を制御することで、検出データに対する各種処理（前処理、再構成処理、ＭＰＲ処理等）を行わせる。或いは、制御部４７は、表示制御部４３を制御することで、記憶部４５に記憶された画像データ等に基づき、ＣＴ画像を表示部４４に表示させる。また、制御部４７は、操作部４６により入力されたスキャン条件に関する１以上の範囲を視覚的報知部３５に報知させる。
【００４９】
この実施形態では、制御部４７は、スキャン条件により指定された天板３３における複数の位置又は複数の範囲を視覚的報知部３５に同時に報知させることができる。なお、制御部４７は、スキャン条件により指定された天板３３における複数の位置又は複数の範囲を視覚的報知部３５に順次に報知させるようにしてもよい。また、制御部４７は、スキャン条件により指定された天板３３における複数の位置又は複数の範囲を、操作部４６を介したユーザ指定に基づいて視覚的報知部３５に選択的に報知させるようにしてもよい。
【００５０】
また、制御部４７は、複数の撮影範囲、各撮影範囲の中心である撮影中位置心、各撮影範囲の端部である撮影端部、及び被曝限界のいずれか２つの位置又は範囲を、異なる態様で視覚的報知部３５に報知させることができる。複数の撮影範囲、各撮影範囲の中心である撮影中位置心、各撮影範囲の端部である撮影端部、及び被曝限界は、スキャン条件により特定可能であり、スキャン条件により実質的に指定されるものである。たとえば、制御部４７は、複数の撮影範囲、各撮影範囲の中心である撮影中位置心、各撮影範囲の端部である撮影端部、及び被曝限界のいずれか２つの位置又は範囲を、色、報知時間、又は強度を異ならせて視覚的報知部３５に報知させることができる。その具体例として、制御部４７は、スキャン撮影範囲の撮影中心位置や撮影端部や被曝限界に応じて、色を異ならせて視覚的報知部３５に報知させる。また、制御部４７は、スキャン撮影範囲の撮影中心位置や撮影端部や被曝限界に応じて、報知時間を異ならせて視覚的報知部３５に報知させる。或いは、制御部４７は、スキャン撮影範囲の撮影中心位置や撮影端部や被曝限界に応じて、光の強度を異ならせて視覚的報知部３５に報知させる。同様に、制御部４７は、スキャンモードの種別に応じて、色や報知時間を異ならせて視覚的報知部３５に報知させる。なお、報知時間は、光の点灯時間や非点灯時間に相当し、点灯時間又は非点灯時間を異ならせることで、報知時間を異ならせることができる。
【００５１】
更に、制御部４７は、スキャン条件により指定された天板３３における複数の範囲のそれぞれを範囲毎に異なる態様で視覚的報知部３５に報知させることができる。その具体例として、制御部４７は、スキャン条件により指定された天板３３における複数の範囲それぞれに応じて、色を異ならせて視覚的報知部３５に報知させることができる。また、制御部４７は、スキャン条件により指定された天板３３における複数の範囲それぞれに応じて、報知時間を異ならせて視覚的報知部３５に報知させることができる。或いは、制御部４７は、スキャン条件により指定された天板３３における複数の範囲それぞれに応じて、光の強度を異ならせて視覚的報知部３５に報知させることができる。
【００５２】
この実施形態において、視覚的報知部３５は、「視覚的報知手段」の一例であり、操作部４６は、「操作手段」の一例であり、制御部４７は、「制御手段」の一例であり、寝台駆動部３２は、「移動機構」の一例であり、天板支持部３４は、「天板支持手段」の一例である。また、再構成処理部４２ｂは、「再構成処理手段」の一例であり、レンダリング処理部４２ｃは、「レンダリング処理手段」の一例である。
【００５３】
＜動作＞
次に、図７を参照して、この実施形態に係るＸ線ＣＴ装置１の動作について説明する。
【００５４】
（Ｓ１）
制御部４７は、操作部４６を介してユーザによるスキャン条件の入力を受け付け、ユーザにより入力されたスキャン条件を含むスキャンプランをスキャン制御部４１に対して設定する。
【００５５】
（Ｓ２）
制御部４７は、Ｓ１において入力されたスキャン条件により指定された天板３３における複数の位置又は複数の範囲を視覚的報知部３５に報知させる。その具体例として、制御部４７は、Ｓ１において入力されたスキャン条件の範囲から視覚的報知部３５により報知させる位置を特定し、特定された位置に対応したＬＥＤに対して発光制御を行う。複数のＬＥＤ３４３のうち発光制御されたＬＥＤからの光は、天板３３の導光体３３１に入射される。導光体３３１は、各導光部材３３３に入射された光を光ファイバ３３２により天板３３の側面に導く。これにより、天板３３の側面では、Ｓ１において入力されたスキャン条件に関する範囲（体軸方向の範囲）が報知される。
【００５６】
（Ｓ３）
ユーザは、天板３３の側面から出射された光を見て、Ｓ１において入力されたスキャン撮影範囲の調整が必要か否かを判断することができる。調整が必要と判断すると、ユーザは、操作部４６を介して、スキャン撮影範囲の調整を指示する。スキャン撮影範囲の調整の指示を受けたとき（Ｓ３：Ｙ）、制御部４７による制御は、Ｓ４に移行する。また、スキャン撮影範囲の調整の指示を受けないとき（Ｓ３：Ｎ）、制御部４７による制御は、Ｓ５に移行する。
【００５７】
（Ｓ４）
制御部４７は、操作部４６を介してユーザにより変更されたスキャン撮影範囲を含むスキャンプランの入力を受け付け、このスキャンプランをスキャン制御部４１に対して設定する。その後、制御部４７による制御は、Ｓ２に移行する。
【００５８】
（Ｓ５）
制御部４７は、スキャン制御部４１を制御して、Ｘ線ＣＴ装置１にスキャンを開始させる。スキャンが開始されると、Ｘ線ＣＴ装置１は、被検体Ｅに対してＸ線スキャンを行い、複数の断層画像データを作成する。すなわち、Ｘ線発生部１１は、被検体Ｅに対してＸ線を曝射する。Ｘ線検出部１２は、被検体Ｅを透過したＸ線を検出する。Ｘ線検出部１２で検出されたＸ線に基づく検出データは、データ収集部１８で収集され、処理部４２（前処理部４２ａ）に送られる。
【００５９】
（Ｓ６）
制御部４７は、処理部４２を制御して、取得された検出データから投影データの作成を指示する。すなわち、前処理部４２ａは、取得された検出データに対して、対数変換処理等の前処理を行い、投影データを作成する（Ｓ６）。作成された投影データは、制御部４７の制御に基づき、再構成処理部４２ｂに送られる。
【００６０】
（Ｓ７）
制御部４７は、処理部４２を制御して、作成された投影データからボリュームデータの作成を指示する。すなわち、再構成処理部４２ｂは、作成された投影データに基づいて、複数の断層画像データを作成する。また、再構成処理部４２ｂは、複数の断層画像データを補間処理することによりボリュームデータを作成する。
【００６１】
（Ｓ８）
制御部４７は、処理部４２を制御して、作成されたボリュームデータからＭＰＲ画像の作成を指示する。すなわち、レンダリング処理部４２ｃは、Ｓ７において作成されたボリュームデータに対しレンダリング処理を施すことにより、ＭＰＲ画像を作成する。
【００６２】
（Ｓ９）
制御部４７は、表示制御部４３を制御して、作成されたＭＰＲ画像の表示を指示する。すなわち、表示制御部４３は、Ｓ８において作成されたＭＰＲ画像を表示部４４に表示させる。その後、制御部４７による制御は、一連の処理を終了する（エンド）。
【００６３】
＜動作例＞
次に、第１実施形態に係るＸ線ＣＴ装置１の動作例について具体的に説明する。たとえば、架台装置１０には、表示部４４の機能と操作部４６の機能とを実現するタッチパネルが設けられる。ユーザは、タッチパネルを操作することにより、架台装置１０に対し、スキャン撮影範囲を含むスキャン条件を入力することができる。タッチパネルには、設定されたスキャン条件のパラメータとスキャン撮影範囲とが同時に表示される。ユーザは、タッチパネルを操作することにより、設定されたスキャン撮影範囲を変更することができる。
【００６４】
（第１動作例）
ユーザによりスキャン条件が指定されると、制御部４７は、表示制御部４３により、指定されたスキャン条件を示す画像を表示部４４に表示させる。たとえば、制御部４７は、撮影範囲の中心位置ｄ１を赤色で発光させ、撮影範囲の撮影端部である撮影開始位置ｄ２及び撮影終了位置ｄ３を青色で発光させ、被曝限界位置ｄ４の両端を緑色で発光させることにより、視覚的報知部３５に報知させる（図２）。
【００６５】
これにより、架台装置１０を操作するユーザは、天板３３の側面を見ながらスキャン条件により指定された天板３３における位置や範囲を識別し、且つ、その位置や範囲を簡便に調整することができる。その結果、Ｘ線ＣＴ装置１による撮影効率を向上させることができる。また、被検体Ｅにとってはスキャノ撮影が不要になるため、被曝量の低減が可能になる。
【００６６】
（第２動作例）
第２動作例は、胸部ヘリカル撮影を行う場合の動作例である。この場合、ユーザにより入力されるスキャン条件を構成するスキャンモードは、天板３３と架台装置１０とを相対的に移動させつつ被検体Ｅを撮影するヘリカルスキャンモードを含む。ユーザによりヘリカルスキャンモードが指定されたとき、制御部４７は、相対移動の方向又は撮影のための移動方向を視覚的報知部３５に報知させる。ヘリカルスキャンモードは、「第１スキャンモード」の一例である。
【００６７】
図８に、第２動作例における表示部４４に表示された画像の一例を示す。
図９に、第２動作例における視覚的報知部３５の動作説明図を示す。図９は、被検体Ｅが載置された天板３３を上方から見た図を模式的に表す。
【００６８】
ユーザによりヘリカルスキャンモードや撮影範囲を含むスキャン条件が指定されると、制御部４７は、表示制御部４３により、指定されたスキャン条件を示す画像を表示部４４に表示させる。撮影範囲Ｄは、撮影開始位置Ｄ１０と撮影終了位置Ｄ１１とにより特定可能である。また、制御部４７は、天板３３の側面において、撮影開始位置Ｄ１０に対応する撮影開始位置ｄ１０から撮影終了位置Ｄ１１に対応する撮影終了位置ｄ１１の方向に、黄色の光が出射される光出射端を順次に移動させる。これにより、制御部４７は、撮影範囲及び撮影のための移動方向を視覚的報知部３５に報知させることができる。
【００６９】
従って、架台装置１０を操作するユーザは、天板３３の側面を見ながらスキャン条件により指定された天板３３における位置や範囲や撮影のための移動方向を識別し、且つ、その位置や範囲を簡便に調整することができる。その結果、Ｘ線ＣＴ装置１による撮影効率を向上させることができる。また、被検体Ｅにとってはスキャノ撮影が不要になるため、被曝量の低減が可能になる。
【００７０】
（第３動作例）
第３動作例は、心臓ダイナミック撮影を行う場合の動作例である。この場合、ユーザにより入力されるスキャン条件を構成するスキャンモードは、天板３３と架台装置１０とを相対的に静止させた状態で被検体Ｅを撮影するダイナミックスキャンモードを含む。ユーザによりダイナミックスキャンモードが指定されたとき、制御部４７は、撮影範囲を視覚的報知部３５に報知させる。ダイナミックスキャンモードは、「第２スキャンモード」の一例である。
【００７１】
図１０に、第３動作例における表示部４４に表示された画像の一例を示す。
図１１に、第３動作例における視覚的報知部３５の動作説明図を示す。図１１は、図９と同様に、被検体Ｅが載置された天板３３を上方から見た図を模式的に表す。
【００７２】
ユーザによりダイナミックスキャンモードや撮影範囲を含むスキャン条件が指定されると、制御部４７は、表示制御部４３により、指定されたスキャン条件を示す画像を表示部４４に表示させる。撮影範囲Ｄ´は、撮影端部位置Ｄ１２、Ｄ１３により特定可能である。また、制御部４７は、天板３３の側面において、撮影端部位置Ｄ１２に対応する撮影端部位置ｄ１２と撮影端部位置Ｄ１３に対応する撮影端部位置ｄ１３の間に配置された複数の光出射端から赤色の光が出射されるように、撮影範囲を視覚的報知部３５に報知させる。
【００７３】
これにより、架台装置１０を操作するユーザは、天板３３の側面を見ながらスキャン条件により指定された天板３３における位置や範囲を識別し、且つ、その位置や範囲を簡便に調整することができる。その結果、Ｘ線ＣＴ装置１による撮影効率を向上させることができる。また、被検体Ｅにとってはスキャノ撮影が不要になるため、被曝量の低減が可能になる。
【００７４】
（第４動作例）
第４動作例は、スキャノ撮影を行う場合の動作例である。この場合、スキャノ撮影により被検体Ｅを被曝させてしまうが、天板３３において被検体が載置される範囲内において撮影部位（撮影範囲）と非撮影部位（非撮影範囲）とを識別可能に視覚的報知部３５に報知させる。これにより、撮影効率を向上させ、従来のスキャノ撮影と比較して被曝量の低減を図ることが可能になる。
【００７５】
図１２に、第４動作例における表示部４４に表示された画像の一例を示す。
図１３に、第４動作例における視覚的報知部３５の動作説明図を示す。図１３は、図９と同様に、被検体Ｅが載置された天板３３を上方から見た図を模式的に表す。
【００７６】
ユーザによりスキャノ撮影モードや撮影範囲を含むスキャン条件が指定されると、制御部４７は、表示制御部４３により、指定されたスキャン条件を示す画像を表示部４４に表示させる。Ｘ線照射を行うことが好ましくない部位を除く範囲でスキャノ撮影を行う場合、スキャン条件により、たとえば、撮影範囲Ｄ１´、Ｄ２´の指定が可能である。撮影範囲Ｄ１´は、撮影開始位置Ｄ１４と撮影終了位置Ｄ１５とにより特定可能である。撮影範囲Ｄ２´は、撮影開始位置Ｄ１６と撮影終了位置Ｄ１７とにより特定可能である。また、制御部４７は、天板３３の側面において、撮影開始位置Ｄ１４に対応する撮影開始位置ｄ１４から撮影終了位置Ｄ１５に対応する撮影終了位置ｄ１５の方向に、緑色の光が出射される光出射端を順次に移動させる。これにより、制御部４７は、撮影範囲Ｄ１´及び撮影範囲Ｄ１´における撮影のための移動方向を視覚的報知部３５に報知させることができる。更に、また、制御部４７は、天板３３の側面において、撮影開始位置Ｄ１６に対応する撮影開始位置ｄ１６から撮影終了位置Ｄ１７に対応する撮影終了位置ｄ１７の方向に、青色の光が出射される光出射端を順次に移動させる。これにより、制御部４７は、撮影範囲Ｄ２´及び撮影範囲Ｄ２´における撮影のための移動方向を視覚的報知部３５に報知させることができる。
【００７７】
従って、架台装置１０を操作するユーザは、天板３３の側面を見ながらスキャン条件により指定された天板３３における範囲と撮影のための移動方向を識別し、且つ、その範囲を簡便に調整することができる。その結果、Ｘ線ＣＴ装置１による撮影効率を向上させることができる。また、被検体ＥにとってＸ線照射を行うことが好ましくない部位を除いてスキャノ撮影を行う場合に、上記のように撮影効率を向上させることで、従来よりも被曝量の低減が可能なスキャノ撮影を行うことができるようになる。
【００７８】
第４動作例では、制御部４７は、スキャン条件により指定された天板３３における複数の範囲を視覚的報知部３５に同時に報知させていたが、第１実施形態は、これに限定されるものではない。たとえば、制御部４７は、スキャン条件により指定された天板３３における複数の範囲を視覚的報知部３５に順次に報知させるようにしてもよい。或いは、制御部４７は、スキャン条件により指定された天板３３における複数の範囲をユーザ指定に基づいて視覚的報知部３５に選択的に報知させるようにしてもよい。
【００７９】
なお、第１実施形態では、寝台装置３０を構成する天板３３の側面に視覚的報知部３５が設けられている場合につて説明したが、これに限定されるものではない。たとえば、視覚的報知部３５が、寝台装置３０の外部に設けられ、且つ、天板３３の側面の近傍に配置されたものであってもよい。
【００８０】
＜作用・効果＞
この実施形態の作用及び効果について説明する。
【００８１】
第１実施形態のＸ線ＣＴ装置１は、被検体ＥをＸ線でスキャンすることにより被検体Ｅの内部を画像化する装置である。Ｘ線ＣＴ装置１は、架台装置１０と、寝台装置３０と、視覚的報知部３５と、制御部４７とを含む。架台装置１０は、被検体ＥをＸ線でスキャンするためのスキャン手段を有する。寝台装置３０は、天板３３を有する。視覚的報知部３５は、天板３３の周縁の少なくとも一部に沿って配置され、スキャン条件により指定された天板３３における位置又は範囲を視覚的に報知する。制御部４７は、スキャン条件により指定された天板３３における複数の位置又は複数の範囲を視覚的報知部３５に報知させる。このとき、制御部４７は、スキャン条件により指定された天板３３における複数の位置又は複数の範囲を視覚的報知部３５に同時に、順次に、又はユーザ指定に基づいて選択的に報知させることができる。
【００８２】
具体的には、視覚的報知部３５は、ＬＥＤ３４３からの光を導光する導光手段の光出射端を含む。また、視覚的報知部３５は、天板３３の長手方向の周縁に沿って配置されている。
【００８３】
このように、天板３３の周縁に視覚的報知部３５を配置することにより、架台装置１０を操作するユーザは、天板３３の周縁を見ながらスキャン条件により指定された天板３３における位置や範囲を識別し、且つ、その位置や範囲を簡便に調整することができるようになる。これにより、スキャの撮影を行う必要がなくなるため、被曝量を低減させ、且つ、Ｘ線ＣＴ装置１による撮影効率を向上させることができる。また、天板３３の長手方向の周縁に沿って視覚的報知部３５を配置することにより、スキャン撮影範囲や撮影のための移動方向等をユーザに報知することが容易になる。
【００８４】
また、制御部４７は、複数の撮影範囲、各撮影範囲の中心である撮影中位置心、各撮影範囲の端部である撮影端部、及び被曝限界のいずれか２つの位置又は範囲を、異なる態様で視覚的報知部３５に報知させることができる。たとえば、制御部４７は、これらを、色、報知時間、又は強度を異ならせて視覚的報知部３５に報知させる。また、制御部４７は、天板３３における複数の範囲のそれぞれを範囲毎に異なる態様で視覚的報知部３５に報知させることができる。また、制御部４７は、天板３３において被検体Ｅが載置される範囲内において撮影範囲と非撮影範囲とを識別可能に視覚的報知部３５に報知させることができる。
【００８５】
このように、視覚的報知部３５により異なる態様で報知させることにより、簡便にユーザにスキャン条件の内容を報知することができ、撮影効率をより一層向上させることが可能になる。
【００８６】
第１実施形態に係る寝台装置３０は、天板３３と、視覚的報知部３５とを含む。天板３３には、被検体Ｅが載置される。視覚的報知部３５は、天板３３の周縁の少なくとも一部に沿って配置され、スキャン条件により指定された天板３３における位置又は範囲を視覚的に報知する。具体的には、寝台装置３０は、天板支持部３４を含む。天板支持部３４は、天板３３を支持すると共に、天板３３の短手方向に配列された複数のＬＥＤ３４３を含む。天板３３は、複数のＬＥＤ３４３から出力された光を天板３３の周縁に導く導光体３３１と複数の光ファイバ３３２とを有する。視覚的報知部３５は、複数の光ファイバ３３２の光出射端である。
【００８７】
このように、寝台装置３０を構成する天板３３の周縁に視覚的報知部３５を配置し、スキャン条件により指定された天板３３における位置や範囲を視覚的報知部３５に報知させることにより、ユーザにとって、スキャン条件に関する範囲を簡便な方法で調整が可能な寝台装置を提供することができる。これにより、寝台装置３０が適用されたＸ線ＣＴ装置等の医用画像診断装置による撮影効率の向上に寄与することができるようになる。
【００８８】
［第２実施形態］
第１実施形態では、視覚的報知部３５は、上部フレーム３４１に配置されたＬＥＤ３４３からの光を、天板３３に配置された導光手段により天板３３の側面に導くことで、ユーザに報知するものとして説明した。第２実施形態では、視覚的報知部が、発光部を含んで構成される。
【００８９】
図１４に、第２実施形態に係るＸ線ＣＴ装置の概略構成のブロック図を示す。図１４において、図１と同様の部分には同一符号を付し、適宜説明を省略する。以下、第２実施形態におけるＸ線ＣＴ装置について、第１実施形態との相違点を中心に説明する。
【００９０】
Ｘ線ＣＴ装置１ａは、架台装置１０ａと、寝台装置３０ａと、コンソール装置４０とを含んで構成されている。
【００９１】
架台装置１０ａの構成が架台装置１０の構成と異なる点は、制御部４７に代えて制御部４７ａが設けられている点である。
【００９２】
寝台装置３０ａは、寝台３１ａと、寝台駆動部３２とを含んで構成されている。寝台３１ａは、天板３３ａと、天板支持部３４ａと、視覚的報知部３５ａとを含んで構成されている。視覚的報知部３５ａは、発光部３５１ａを含んで構成されている。発光部３５１ａは、天板３３ａの周縁の少なくとも一部に配置される。発光部３５１ａは、複数のＬＥＤを含む。複数のＬＥＤのそれぞれは、天板３３ａの周縁に沿って配列される。複数のＬＥＤは、制御部４７ａからの制御信号に基づいて発光制御される。
【００９３】
たとえば、発光部３５１ａを構成する複数のＬＥＤのうち互いに異なる色の光を発光する複数のＬＥＤ群が、天板３３ａの周縁に沿って所定間隔に配列される。制御部４７ａからの制御を受けて、複数のＬＥＤ群は、色、照射時間、強度の変更が可能に構成される。発光部３５１ａにより発光された光は、架台装置１０ａを操作するユーザによって視認される。この実施形態では、発光部３５１ａは、天板３３ａの側面に配置される。発光部３５１ａを構成する複数のＬＥＤ群は、天板３３ａの側面において、上下方向に配列される。
【００９４】
制御部４７ａは、発光部３５１ａを制御することにより、操作部４６により入力されたスキャン条件により指定された天板３３ａにおける１以上の位置や１以上の範囲を視覚的報知部３５ａに報知させる。
【００９５】
この実施形態では、制御部４７ａは、スキャン条件により指定された天板３３ａにおける複数の位置や複数の範囲を視覚的報知部３５ａに同時に報知させる。なお、制御部４７ａは、スキャン条件により指定された天板３３ａにおける複数の位置や複数の範囲を視覚的報知部３５ａに順次に報知させるようにしてもよい。また、制御部４７ａは、スキャン条件に指定された天板３３ａにおける複数の位置や複数の範囲を、操作部４６を介したユーザ指定に基づいて視覚的報知部３５ａに選択的に報知させるようにしてもよい。
【００９６】
また、制御部４７ａは、第１実施形態と同様に、複数の撮影範囲、各撮影範囲の中心である撮影中位置心、各撮影範囲の端部である撮影端部、及び被曝限界のいずれか２つの位置又は範囲を、異なる態様で視覚的報知部３５ａに報知させることができる。たとえば、制御部４７ａは、複数の撮影範囲、各撮影範囲の中心である撮影中位置心、各撮影範囲の端部である撮影端部、及び被曝限界のいずれか２つの位置又は範囲を、色、報知時間、又は強度を異ならせて視覚的報知部３５ａに報知させることができる。更に、制御部４７ａは、第１実施形態と同様に、スキャン条件により指定された天板３３ａにおける複数の範囲のそれぞれを範囲毎に異なる態様で視覚的報知部３５ａに報知させることができる。
【００９７】
この実施形態において、視覚的報知部３５ａは、「視覚的報知手段」の一例であり、制御部４７ａは、「制御手段」の一例である。第２実施形態に係るＸ線ＣＴ装置１ａの動作は、第１実施形態と同様であるため、説明を省略する。
【００９８】
第２実施形態では、上部フレーム３４１にＬＥＤ等の発光手段を配置する必要がなく、簡素な構成で、スキャン条件により指定された天板３３ａにおける位置や範囲を、簡便にユーザに報知することができる。これにより、被曝量を低減させ、且つ、Ｘ線ＣＴ装置１ａによる撮影効率を向上させることができる。
【００９９】
［第３実施形態］
第１実施形態又は第２実施形態では、視覚的報知部は、光ファイバの光出射端又は発光部により構成されるものとして説明した。第３実施形態では、視覚的報知部が、反射部を含んで構成される。
【０１００】
図１５に、第３実施形態に係るＸ線ＣＴ装置の概略構成のブロック図を示す。図１５において、図１と同様の部分には同一符号を付し、適宜説明を省略する。以下、第３実施形態におけるＸ線ＣＴ装置について、第１実施形態との相違点を中心に説明する。
【０１０１】
Ｘ線ＣＴ装置１ｂは、架台装置１０ｂと、寝台装置３０ｂと、コンソール装置４０と、光源５０とを含んで構成されている。光源５０は、架台装置１０ｂ、寝台装置３０ｂ、又はコンソール装置４０に含んで構成されていてもよい。光源５０は、１以上の色の光を出射することができるようになっており、制御部４７ｂからの制御を受けて、色、照射時間、強度の変更が可能に構成される。
【０１０２】
架台装置１０ｂの構成が架台装置１０の構成と異なる点は、制御部４７に代えて制御部４７ｂが設けられている点である。
【０１０３】
寝台装置３０ｂは、寝台３１ｂと、寝台駆動部３２とを含んで構成されている。寝台３１ｂは、天板３３ｂと、天板支持部３４ｂと、視覚的報知部３５ｂとを含んで構成されている。視覚的報知部３５ｂは、反射部３５１ｂを含んで構成されている。反射部３５１ｂは、天板３３ｂの周縁の少なくとも一部に配置される。光源５０は、天板３３ｂの周縁に向けて光を出射する。光源５０は、たとえば、天板３３ｂの長手方向に光を移動させることにより、所定範囲の光を反射部３５１ｂに向けて出射することができる。光源５０からの光は、反射部３５１ｂにより反射される。反射部３５１ｂによる反射光は、架台装置１０ｂを操作するユーザによって視認される。この実施形態では、反射部３５１ｂは、天板３３ｂの側面に配置される。
【０１０４】
制御部４７ｂは、光源５０を制御することにより、操作部４６により入力されたスキャン条件により指定された天板３３ｂにおける１以上の位置や１以上の範囲を視覚的報知部３５ｂに報知させる。
【０１０５】
この実施形態では、制御部４７ｂは、スキャン条件により指定された天板３３ｂにおける複数の位置や複数の範囲を視覚的報知部３５ｂに同時に報知させる。なお、制御部４７ｂは、スキャン条件に指定された天板３３ｂにおける複数の位置や複数の範囲を視覚的報知部３５ｂに順次に報知させるようにしてもよい。また、制御部４７ｂは、スキャン条件により指定された天板３３ｂにおける複数の位置や複数の範囲を、操作部４６を介したユーザ指定に基づいて視覚的報知部３５ｂに選択的に報知させるようにしてもよい。
【０１０６】
また、制御部４７ｂは、第１実施形態と同様に、複数の撮影範囲、各撮影範囲の中心である撮影中位置心、各撮影範囲の端部である撮影端部、及び被曝限界のいずれか２つの位置又は範囲を、異なる態様で視覚的報知部３５ｂに報知させることができる。たとえば、制御部４７ｂは、複数の撮影範囲、各撮影範囲の中心である撮影中位置心、各撮影範囲の端部である撮影端部、及び被曝限界のいずれか２つの位置又は範囲を、色、報知時間、又は強度を異ならせて視覚的報知部３５ｂに報知させることができる。更に、制御部４７ｂは、第１実施形態と同様に、スキャン条件により指定された天板３３ｂにおける複数の範囲のそれぞれを範囲毎に異なる態様で視覚的報知部３５ｂに報知させることができる。
【０１０７】
この実施形態において、視覚的報知部３５ｂは、「視覚的報知手段」の一例であり、制御部４７ｂは、「制御手段」の一例であり、反射部３５１ｂは、「反射手段」の一例である。
【０１０８】
第３実施形態では、上部フレーム３４１にＬＥＤ等の発光手段を配置する必要がなく、簡素な構成で、スキャン条件により指定された天板３３ｂにおける位置や範囲を、簡便にユーザに報知することができる。これにより、被曝量を低減させ、且つ、Ｘ線ＣＴ装置１ｂによる撮影効率を向上させることができる。
【０１０９】
［第４実施形態］
第３実施形態では、光源５０を設けると共に、視覚的報知部３５ｂが有する反射部３５１ｂに反射させることにより、ユーザに報知していた。第４実施形態では、視覚的報知部が、架台装置が有する投光器からの可視光を反射する。
【０１１０】
図１６に、第４実施形態に係るＸ線ＣＴ装置の概略構成のブロック図を示す。図１６において、図１と同様の部分には同一符号を付し、適宜説明を省略する。以下、第４実施形態におけるＸ線ＣＴ装置について、第１実施形態との相違点を中心に説明する。
【０１１１】
Ｘ線ＣＴ装置１ｃは、架台装置１０ｃと、寝台装置３０ｃと、コンソール装置４０とを含んで構成されている。
【０１１２】
架台装置１０ｃは、Ｘ線発生部１１と、Ｘ線検出部１２と、回転体１３と、高電圧発生部１４と、架台駆動部１５と、Ｘ線絞り部１６と、絞り駆動部１７と、データ収集部１８と、投光器１９とを有する。更に、架台装置１０ｃは、スキャン制御部４１と、表示制御部４３と、表示部４４と、記憶部４５と、操作部４６と、制御部４７ｃとを含んで構成されている。投光器１９は、制御部４７ｃからの制御を受けて、天板の上方からスキャン条件に関する各種位置や各種範囲を投影する。また、投光器１９は、制御部４７ｃからの制御を受けて、後述する視覚的報知部３５ｃが有する反射部３５１ｃに向けて可視光を出射することが可能である。投光器１９は、１以上の色の光を出射することができるようになっており、制御部４７ｃからの制御を受けて、色、照射時間、強度の変更が可能に構成される。
【０１１３】
寝台装置３０ｃは、寝台３１ｃと、寝台駆動部３２とを含んで構成されている。寝台３１ｃは、天板３３ｃと、天板支持部３４ｃと、視覚的報知部３５ｃとを含んで構成されている。視覚的報知部３５ｃは、反射部３５１ｃを含んで構成されている。反射部３５１ｃは、天板３３ｂの周縁の少なくとも一部に配置される。投光器１９は、天板３３ｃの周縁に向けて光を出射することが可能に構成される。投光器１９からの可視光は、反射部３５１ｃにより反射される。たとえば、投光器１９が出射した可視光は、適宜配置された１以上の反射部材により反射させることにより、反射部３５１ｃの反射面に導かれる。反射部３５１ｃによる反射光は、架台装置１０ｃを操作するユーザによって視認される。
【０１１４】
制御部４７ｃは、投光器１９を制御することにより、操作部４６により入力されたスキャン条件により指定された天板３３ｃにおける１以上の位置や１以上の範囲を視覚的報知部３５ｃに報知させる。
【０１１５】
この実施形態では、制御部４７ｃは、スキャン条件により指定された天板３３ｃにおける複数の位置や複数の範囲を視覚的報知部３５ｃに同時に報知させる。なお、制御部４７ｃは、スキャン条件により指定された天板３３ｃにおける複数の位置や複数の範囲を視覚的報知部３５ｂに順次に報知させるようにしてもよい。また、制御部４７ｃは、スキャン条件により指定された天板３３ｃにおける複数の位置や複数の範囲を、操作部４６を介したユーザ指定に基づいて視覚的報知部３５ｃに選択的に報知させるようにしてもよい。
【０１１６】
また、制御部４７ｃは、第１実施形態と同様に、複数の撮影範囲、各撮影範囲の中心である撮影中位置心、各撮影範囲の端部である撮影端部、及び被曝限界のいずれか２つの位置又は範囲を、異なる態様で視覚的報知部３５ｃに報知させることができる。たとえば、制御部４７ｃは、複数の撮影範囲、各撮影範囲の中心である撮影中位置心、各撮影範囲の端部である撮影端部、及び被曝限界のいずれか２つの位置又は範囲を、色、報知時間、又は強度を異ならせて視覚的報知部３５ｃに報知させることができる。更に、制御部４７ｃは、第１実施形態と同様に、スキャン条件により指定された天板３３ｃにおける複数の範囲のそれぞれを範囲毎に異なる態様で視覚的報知部３５ｃに報知させることができる。
【０１１７】
この実施形態において、視覚的報知部３５ｃは、「視覚的報知手段」の一例であり、制御部４７ｃは、「制御手段」の一例であり、反射部３５１ｃは、「反射手段」の一例である。
【０１１８】
第４実施形態では、上部フレーム３４１にＬＥＤ等の発光手段を配置する必要がなく、簡素な構成で、スキャン条件により指定された天板３３ｃにおける位置や範囲を、簡便にユーザに報知することができる。これにより、被曝量を低減させ、且つ、Ｘ線ＣＴ装置１ｃによる撮影効率を向上させることができる。
【０１１９】
［変形例］
第１実施形態〜第４実施形態では、制御部は、操作部４６を介して入力されたスキャン条件により指定された天板における位置や範囲を視覚的報知部に報知させる場合について説明したが、これに限定されるものではない。
【０１２０】
たとえば、再構成処理部４２ｂは、前処理部４２ａで作成された投影データに対しリアルタイム再構成処理を施すことにより、リアルタイムＣＴ画像データを作成する。この場合、制御部４７は、再構成処理部４２ｂにおける再構成処理により作成されたリアルタイムＣＴ画像データに基づく画像（再構成画像）における位置又は範囲を視覚的報知部３５に報知させる。これにより、リアルタイム再構成処理により得られた再構成画像が表示された表示部４４を観察するユーザに、天板３３に載置される被検体Ｅのどの位置や範囲であるか直感的に把握させることができるようになる。
【０１２１】
また、制御部４７は、被検体ＥをＸ線でスキャンすることにより得られた検出データ、投影データ、又はボリュームデータに基づいて作成されたＭＰＲ画像における位置又は範囲を視覚的報知部３５に報知させるようにしてもよい。これにより、穿刺手術中に得られたＭＰＲ画像が表示された表示部４４を観察するユーザに、天板３３に載置される被検体Ｅのどの位置や範囲であるか直感的に把握させることができるようになる。
【０１２２】
なお、上記の変形例では、第１実施形態に係るＸ線ＣＴ装置１を例に説明したが、第２実施形態〜第４実施形態に係るＸ線ＣＴ装置においても同様である。
【０１２３】
［その他］
上記の実施形態では、天板の左右の両側面に視覚的報知部を配置する場合について説明したが、これに限定されるものではない。たとえば、上記の実施形態において、天板の左右の側面のうち一方の側面にだけ視覚的報知部を配置するようにしてもよい。
【０１２４】
また、上記の実施形態では、天板の左右の両側面に視覚的報知部を配置する場合について説明したが、これに限定されるものではない。たとえば、上記の実施形態において、天板の体軸方向に相対する側面のうち少なくとも一方の側面に視覚的報知部を配置するようにしてもよい。
【０１２５】
また、上記の実施形態では、図２に示す天板３３の位置に導光体３３１が配置された場合について説明したが、これに限定されるものではない。天板３３が回転体１３の開口部１３ａに挿抜可能に構成されている場合、開口部１３ａから遠い方の天板３３の端部側の任意の位置に導光体３３１を配置することにより、スキャンにより得られた検出データへの影響を最小限に抑えることができる。
【０１２６】
また、上記の実施形態でユーザが操作部４６を用いて各種操作を行う場合について説明したが、ユーザが操作部４８を用いて同様の操作を行ってもよい。
【０１２７】
本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれるものである。
【符号の説明】
【０１２８】
１、１ａ、１ｂ、１ｃ  Ｘ線ＣＴ装置
１０、１０ａ、１０ｂ、１０ｃ  架台装置
１１  Ｘ線発生部
１２  Ｘ線検出部
１３  回転体
１３ａ  開口部
１４  高電圧発生部
１５  架台駆動部
１６  Ｘ線絞り部
１７  絞り駆動部
１８  データ収集部
１９  投光器
３０、３０ａ、３０ｂ、３０ｃ  寝台装置
３１、３１ａ、３１ｂ、３１ｃ  寝台
３２  寝台駆動部
３３、３３ａ、３３ｂ、３３ｃ  天板
３４、３４ａ、３４ｂ、３４ｃ  天板支持部
３５、３５ａ、３５ｂ、３５ｃ  視覚的報知部
４０  コンソール装置
４１  スキャン制御部
４２  処理部
４２ａ  前処理部
４２ｂ  再構成処理部
４２ｃ  レンダリング処理部
４３  表示制御部
４４  表示部
４５  記憶部
４６、４８  操作部
４７、４７ａ、４７ｂ、４７ｃ  制御部
５０  光源
３３１  導光体
３３２  光ファイバ
３３３  導光部材
３３４  セパレータ
３４１  上部フレーム
３４３  ＬＥＤ
３５１ａ  発光部
３５１ｂ、３５１ｃ  反射部
【図１】
2016034427.tif 000003
【図２】
2016034427.tif 000004
【図３】
2016034427.tif 000005
【図４】
2016034427.tif 000006
【図５】
2016034427.tif 000007
【図６】
2016034427.tif 000008
【図７】
2016034427.tif 000009
【図８】
2016034427.tif 000010
【図９】
2016034427.tif 000011
【図１０】
2016034427.tif 000012
【図１１】
2016034427.tif 000013
【図１２】
2016034427.tif 000014
【図１３】
2016034427.tif 000015
【図１４】
2016034427.tif 000016
【図１５】
2016034427.tif 000017
【図１６】
2016034427.tif 000018